(57)【要約】【課題】  ブラウス、シャツ等の衣服をパンティストッキングの中へ入れ込み、その上にスカートやズボン等のボトムを着用し、体を動かしても、衣服の胴回りの部分が容易にボトムの外部へ引き出されることのないパンティストッキングを提供し、また、パンティストッキングのウエストバンド部が露出し、外から見えた場合でも、外観上問題のないパンティストッキングを提供する。【解決手段】  股上を浅くし、かつウエスト部分に上半身の衣服の胴回り部分のはみ出しを防止する滑り止めの手段を設け、ウエスト周辺もしくはウエストバンド部、および／またはヒップ部の配色や素材などにデザイン性を持たせる。【選択図】    図１
0003113570.tif 000002
【実用新案登録請求の範囲】
【請求項１】
ローライズのパンティストッキングであって、ウエスト周辺に、胴回り部分の衣服のはみ出しを防止する滑り止め手段を設けたことを特徴とするパンティストッキング。
【請求項２】
請求項１記載のパンティストッキングにおいて、前記滑り止め手段として、ウエスト部分にウエストバンド部（ａ２）を設け、ウエストバンド部（ａ２）の身長方向の幅をほぼ４．０ｃｍ以上としたことを特徴とするパンティストッキング。
【請求項３】
請求項１記載のパンティストッキングにおいて、前記滑り止め手段として、ウエスト周辺を、厚く、かつ締付力を持たせた構成としたことを特徴とするパンティストッキング。
【請求項４】
請求項１〜３のいずれか記載のパンティストッキングにおいて、前記滑り止め手段として、ウエスト周辺もしくはウエストバンド部（ａ２）、および／またはヒップ部（ａ１）に摩擦性の高い繊維を使用したことを特徴とするパンティストッキング。
【請求項５】
請求項１〜４のいずれか記載のパンティストッキングにおいて、前記滑り止め手段として、ウエスト周辺もしくはウエストバンド部（ａ２）、および／またはヒップ部（ａ１）上半分の内側に、薄い樹脂（Ｂ）を着設したことを特徴とするパンティストッキング。
【請求項６】
請求項１〜５のいずれか記載のパンティストッキングにおいて、前記滑り止め手段に加え、ウエスト周辺またはウエストバンド部（ａ２）が、あるいはウエストバンド部（ａ２）およびヒップ部（ａ１）の両方が、肌と同系色でない配色もしくは脚部（ａ３）とは異なる素材であることを特徴とするパンティストッキング。
【請求項７】
請求項１〜６のいずれか記載のパンティストッキングにおいて、前記滑り止め手段に加え、ウエスト部分もしくはウエストバンド部（ａ２）にレース（Ｃ）飾りが設けられたことを特徴とするパンティストッキング。
【考案の詳細な説明】
【技術分野】
【０００１】
この考案は、ローライズのパンティストッキングに関し、さらに詳しくは、パンティストッキングのウエスト部分にブラウス等の上半身の衣服の下部を挿入して着用する場合に、その衣服が引き出されるのを防止し、外観および着用感を良好としたパンティストッキングに関する。
【背景技術】
【０００２】
従来、パンティストッキングの股上は、着用時において臍が隠れる程度以上の長さを有する。また、通常は下着であるショーツのすぐ上に履き重ねて着用するため、必要以上に使用者の腹部を締め付け肌に食い込んだりすることがないよう、ヒップ部分よりも厚手であってゴムが編み込まれたウエストバンド部分が幅２．０〜３．５ｃｍ程度に形成されている。また、肌と同系色のパンティストッキングについては、ウエストバンド部分およびヒップ部分も同様に肌色をしている。
【０００３】
そして、シャツやブラウスなどの衣服の裾をスカートやズボンなどのボトムの中に入れ込んで着用する場合、ウエスト部分において、通常、ボトムに入れられた衣服の裾よりもパンティストッキングが内側、すなわち身体に密着する側に来るよう着用する。
【考案の開示】
【考案が解決しようとする課題】
【０００４】
しかしながら、ブラウスやワイシャツなどには、綿、麻等の天然繊維、ナイロン、ポリエステル等の合成繊維等にて低伸縮性に織られた生地が使用されることが多く、また着用感を重視して、表面が滑らかに作られている。そのため、ボトムの内側へ入れられたブラウスやワイシャツ等の下部は、腕を上げたり屈んだりする動作等によりボトムから外部へ引き出されて見苦しくなり、外観的に好ましくなく、特にファッションを気にする女性にとっては気になるものである。
【０００５】
この場合、例えば化粧室等で、はみ出た部分を再びボトムのウエストに押し込まなければならない。
【０００６】
特に、例えば最近スーツ等でよく着られている、ウエストにゴムがなく、腰骨にかかるタイプの、いわゆるヒップボーンスカートや、股上の浅い、いわゆるローライズズボンを履く場合に、上述のようにブラウス等が引き出され、外観上、好ましくないことが多い。
【０００７】
また、一部の使用者の間では、ボトムのウエスト部分から衣服が容易に出てこないように、衣服の裾をパンティストッキング内に入れる着用方法が採られている。
【０００８】
しかしながら、この場合には、パンティストッキングとボトムの間に衣服を介さないため、上述のようなボトムを着用していると、特に前屈みの姿勢をとった時にウエストの主に背中部分からパンティストッキングが見えてしまい、やはり見苦しくなる。
【０００９】
さらに、それを解消するために、パンティストッキングのウエストバンド部分を外側に折り返し、一時的に股上の丈を短くして着用することがあるが、着脱の度に折り返して整える必要があり、時間がかかり煩雑である上、時間が経つにつれ折り返しが緩くなり元に戻ってしまうこともあり、効果的とは云い難い。また、折り返されたことにより、パンティストッキングの余分な部分がだぶつき、ウエスト周辺がすっきりせず、着用感も悪い。
【００１０】
本考案は上記のことに鑑み提案されたもので、その主たる目的とするところは、ブラウス、シャツ等の衣服をパンティストッキングの中へ入れ込み、その上にスカートやズボン等のボトムを着用し、体を動かしても、衣服の胴回りの部分が容易にボトムの外部へ引き出されることのないパンティストッキングを提供することにある。
また、他の目的とするところは、パンティストッキングのウエストバンド部が露出し、外から見えた場合でも、外観上問題のないパンティストッキングを提供することにある。
【課題を解決するための手段】
【００１１】
上記課題を解決するために、請求項１記載の考案は、ローライズのパンティストッキングであって、ウエスト周辺に、胴回り部分の衣服のはみ出しを防止する滑り止め手段を設けたことを特徴としている。
請求項２記載の考案は、請求項１記載のパンティストッキングにおいて、前記滑り止め手段として、ウエスト部分にウエストバンド部ａ２を設け、ウエストバンド部ａ２の身長方向の幅をほぼ４．０ｃｍ以上としたことを特徴としている。
請求項３記載の考案は、請求項１記載のパンティストッキングにおいて、前記滑り止め手段として、ウエスト周辺を、厚く、かつ締付力を持たせた構成としたことを特徴としている。
請求項４記載の考案は、請求項１〜３のいずれか記載のパンティストッキングにおいて、前記滑り止め手段として、ウエスト周辺もしくはウエストバンド部ａ２、および／またはヒップ部ａ１に摩擦性の高い繊維を使用したことを特徴としている。
請求項５記載の考案は、請求項１〜４のいずれか記載のパンティストッキングにおいて、前記滑り止め手段として、ウエスト周辺もしくはウエストバンド部ａ２、および／またはヒップ部ａ１上半分の内側に、薄い樹脂Ｂを着設したことを特徴としている。
請求項６記載の考案は、請求項１〜５のいずれか記載のパンティストッキングにおいて、前記滑り止め手段に加え、ウエスト周辺またはウエストバンド部ａ２が、あるいはウエストバンド部ａ２およびヒップ部ａ１の両方が、肌と同系色でない配色もしくは脚部ａ３とは異なる素材であることを特徴としている。
請求項７記載の考案は、請求項１〜６のいずれか記載のパンティストッキングにおいて、前記滑り止め手段に加え、ウエスト部分もしくはウエストバンド部ａ２にレースＣ飾りが設けられたことを特徴としている。
【考案の効果】
【００１２】
本考案によれば、股上を浅くすることにより、屈んだ際にもボトムのウエスト部分からパンティストッキングが見えず、上半身の衣服をパンティストッキングの中に入れて着用してもその効果は同様であり、なおかつ滑り止めを設けた構成としたため、ウエスト部分からのシャツのはみ出しを最小限に止めることができる。
また、万が一ボトムのウエスト部分から見えてしまっても、暗めの配色にしたりデザイン性を持たせることで、直ちにパンティストッキングだという印象を見た者に与えることがない。
【考案を実施するための最良の形態】
【００１３】
以下、本考案に係るストッキングについて、図面を参照しながら説明する。
【実施例１】
【００１４】
図１は、本考案の第１実施例に係るストッキングの着用時の図であり、パンティストッキング本体Ａは、腹部、尻部および股部を被覆するヒップ部ａ１、パンティストッキングがずり落ちてこないように厚手であって且つゴムが編み込まれたウエストバンド部ａ２、腿部から爪先までを被覆し編地の薄い脚部ａ３とからなる。また、股部からウエストバンド部ａ２の上端までの長さが股上ｌである。
【００１５】
本考案品では、股上を、未着用時でほぼ１６ｃｍ以下とする。なお、素材等によって伸縮性が異なり、また着用者の体形にもよるが、着用時でほぼ２０ｃｍ程度、未着用時でほぼ１３〜１５ｃｍ前後になるものが好ましい。これは、腰骨から上下にほぼ２ｃｍ程の範囲の長さである。
【００１６】
その際、ヒップ部ａ１においては、従来良く見られるような前後の区別は設けず、つまり腹部よりも背部の方を長めにしたりせず、前後の長さを同じにするか、もしくは腹部よりも背部の方を短くする。
【００１７】
また、ウエストバンド部ａ２の身長方向の幅をほぼ４．０ｃｍ以上にまで太めにとり、その分ヒップ部ａ１の長さを短くする。これにより、ウエストバンド部ａ２の締付けが強くなり、衣服の滑り止め効果が得られる。
【００１８】
更に、ウエストバンド部ａ２の側部の幅を前後よりも太くすると好適である。すなわち、通常、腕を挙げた時に衣服が引き出される現象が、腕の下、すなわち身体の側部において最も顕著であることから、側部の締付力をより強化すると良い。前身ごろおよび後ろ身ごろの裾が曲線を描き脇が最も短くなっているブラウスなどが多数存在するが、このような形状の衣服の場合にも、側部の締付の強化されたものが最適である。
【００１９】
なお、種々のサイズのものを着用して試みた結果、このウエストバンド部ａ２の幅は、太すぎると、特に夏場に着用感が悪くなるため、好ましくはほぼ４．５〜７．０ｃｍの範囲とするのが好ましい。
【００２０】
図２（ａ）は、シャツやブラウスをパンティストッキング内へ入れた状態を示し、同図（ｂ）は、（ａ）の上にボトムを重ねた状態を示している。このような状態で着用した時、例えば手を挙げる等の動作を行っても、本考案の滑り止め手段がブラウス等を押えているため、ブラウスが引き出されにくい。
【実施例２】
【００２１】
本考案の第２実施例においては、ウエスト部分に、従来のパンティストッキングにあるようなバンド部を設けず、ウエスト部とヒップ部との境を無くし、或いは目立たなくし、ウエスト周辺のより広い範囲を締付力の強い構成にする。
【００２２】
この滑り止め手段は、パンティストッキングがローライズである分、その中へ入れ込んだ衣服を押える部分の面積全体または大半のサポート力を高めることを目的とするため、この場合のウエスト周辺とは、ウエスト部分上端から、主にシャツやブラウス等の衣服の下端が届く平均的な長さまでとすれば足りるが、ウエスト部分上端からヒップ部分にかかる全体としても良い。
【００２３】
構成の一例としては、従来のパンティストッキングのウエストバンド部のような、ゴムが編み込まれ、他の部分より厚目に編成されたものが挙げられる。また、同様に、更にそれを二枚重ねるなどして強度および締付力をより強化したようなものでも良い。
【００２４】
なお、上記滑り止め手段に代え、または加え、ウエスト周辺もしくはウエストバンド部ａ２、および／またはヒップ部ａ１に摩擦係数の高い繊維を使用しても良い。この高摩擦性の繊維としては、合成ゴム繊維、天然ゴム繊維などを用いれば良い。また、これらの繊維をナイロン加工繊維などに織り込んで使用しても良い。
【００２５】
更に、上記高摩擦性の繊維を、表面に僅かに凹凸が現れるような手法でもって編むと、より高い摩擦力が得られる。
【実施例３】
【００２６】
図３は本考案の第３実施例を示す。本実施例では、ウエスト周辺もしくはウエストバンド部ａ２、および／またはヒップ部ａ１上半分の内側に、編地よりも厚みの薄い樹脂Ｂを編地組織と一体的に着設する。樹脂としては、シリコン樹脂又はポリウレタン樹脂などが好適である。なお、この技術は、ストッキングや靴下等が床面や靴内等においてスリップするのを防ぐためにストッキングや靴下の足底部分に一般的に施されているものであり、周知のものである。
【００２７】
この場合には、該当部分本来の伸縮性を著しく損なわないように、樹脂Ｂと樹脂Ｂの間隔を適当に空けて着設する。
【００２８】
尚、編み方による凹凸や樹脂Ｂによる凹凸はごく微小のものであり、直接肌に触れても然程違和感を感じるものではなく、接触する布地の繊維を傷めるものでもない。
【実施例４】
【００２９】
脚部ａ３が肌と同系色であるパンティストッキングにおいては、ウエスト周辺、またはウエストバンド部ａ２、またはウエストバンド部ａ２およびヒップ部ａ１の両方を、黒または紺などの暗めの色とする。これにより、万が一ボトムのウエスト部分からパンティストッキングが見えてしまった時にも、見苦しさが軽減する。
【００３０】
なお、スーツ等に良く使用される色であること、いかにもパンティストッキングであるという印象を与えないことなどから、黒または紺などの暗めの色としたが、これに限ったものではなく、例えば、ブラウスによく使用される白色やクリーム色などにしても良い。あるいは、ファッション性を高めるために他の任意の色を採用しても良い。
【００３１】
また、配色を変えるだけでなく、図４に示すように、ウエスト部分上端やウエストバンド部ａ２にレースＣを縫い付けたり、柄付きのゴムテープとすることで、よりデザイン性を持たせることも出来る。
【図面の簡単な説明】
【００３２】
【図１】本考案の第１実施例を示す。
【図２】（ａ）は同実施例においてパンティストッキングの中へシャツを入れて着用した際の正面図、（ｂ）は（ａ）の上にスカートを履き重ねた際の正面図である。
【図３】本考案の第３実施例を示す。
【図４】本考案の第４実施例を示す。
【符号の説明】
【００３３】
Ａ    パンティストッキング本体
ａ１  ヒップ部
ａ２  ウエストバンド部
ａ３  脚部
Ｂ    樹脂
Ｃ    レース
【図１】
0003113570.tif 000003
【図２】
0003113570.tif 000004
【図３】
0003113570.tif 000005
【図４】
0003113570.tif 000006